(57)【要約】【課題】機器の内部構造に関係なく、簡単な構成で高さや傾きの調整を可能にした位置調整装置を提供する。【解決手段】図示しない支持対象物に取付けられ、支持対象物の姿勢を調整するアジャスター装置１であって、支持対象物に取付けられるケース体２と、一端部がケース体２に回動可能に軸支され自由端部を接地させて支持対象物を支持する支持部材３と、支持部材３の回動動作を規制するロック手段４と、ロック手段４のロック状態を維持するコイルスプリング５ａ、５ｂと、ロック手段のロック状態を解除する操作ボタン６ａとを備え、支持部材３を回動して支持部材３の自由端部と支持対象物との距離を任意に設定可能とするものとする。【選択図】          図１
2005042784.tif 000002
【特許請求の範囲】
【請求項１】
支持対象物に取付けられ、該支持対象物の姿勢を調整する位置調整装置であって、
支持対象物に取付けられるケース体と、
一端部が前記ケース体に回動可能に軸支され、自由端部を接地させて支持対象物を支持する支持部材と、
前記支持部材の回動動作を規制するロック手段と、
前記ロック手段のロック状態を維持するロック維持手段と、
前記ロック手段のロック状態を解除するロック解除手段とを備え、
支持部材を回動して該支持部材の自由端部と支持対象物との距離を任意に設定可能としたことを特徴とする位置調整装置。
【請求項２】
前記支持部材は、一端部の軸支部にギア部を備え、
前記ロック手段は、前記ギア部と噛みあい可能なギア受部を備え、
前記ロック維持手段は、前記ギア受部を前記ギア部に押し付ける方向に付勢する弾性部材を備えたことを特徴とする請求項１に記載の位置調整装置。
【請求項３】
前記ロック解除手段は、前記ギア受部を支持部材のギア部から離間する方向に動作可能な押し部材を備えたことを特徴とする請求項２に記載の位置調整装置。
【請求項４】
前記ケース体に、前記支持部材の軸支部と、前記ロック手段と、前記ロック維持手段と、前記ロック解除手段とを収納して一体的に構成したことを特徴とする請求項１乃至３のうちの何れか一項に記載の位置調整装置。
【発明の詳細な説明】
【０００１】
【発明の属する技術分野】
本発明は、位置調整装置に関し、特に、プロジェクタなどの電子機器類の傾きや高さを調節する位置調整装置に関するものである。
【０００２】
【従来の技術】
従来、プロジェクタなどの電子機器類を床やテーブルなどに接地する際に、機器類の水平を出したり所定の姿勢に設置するために、機器類の傾きや高さを調節する必要がある場合がある。
【０００３】
そこで、簡便な作業で機器の高さ調整が行えるように、機器に調整脚を設けたものが知られている。
例えば、外装ケースにピストン部を有する脚部材を外部に突出可能に収納した調整脚を機器に装着し、脚部材の突出量を規制するロック手段により機器の高さを調整するようにしたもの（特許文献１を参照）や、ボルト状の脚軸を昇降させてストッパ体により脚軸の長さを調整して機器の高さを調整するようにしたもの（特許文献２を参照）などが提案されている。
【０００４】
上述した従来の調整脚は、いずれも高さ調節する為の脚の軸部が機器内部にあり、その軸部の長さを調節することにより高さを決めるものである。
【０００５】
【特許文献１】
特開平１１−３１１３９７号公報（第１−６頁、図４）
【特許文献２】
特開２００３−１４１９１号公報（第１−１２頁、図１）
【０００６】
【発明が解決しようとする課題】
しかしながら、従来の技術においては、機器の高さを調節するための軸部が機器の内部に入り込む為、内部の設計を行う際には調整脚の軸部を避けるように考慮する必要があり、その軸部のためのスペースを確保するために必要以上に大きくなるという問題があった。
【０００７】
また、特に、プロジェクタ機器等のように上下方向に調節可能なレンズシフド機構を具備している光学機器においては、従来の技術のような微調整可能なアジャスターでは、高さ調整する際に二度手間になる為、高さや傾き等の姿勢の調整は簡単にできるものが望まれている。
【０００８】
本発明は、上記従来の問題点に鑑みてなされたものであり、機器の内部構造に係わることなく、簡単な構成で高さや傾きの調整を可能にした位置調整装置を提供することを目的とするものである。
【０００９】
【課題を解決するための手段】
本発明は、位置調整装置に係り、支持対象物に取付けられ、該支持対象物の姿勢を調整する位置調整装置であって、支持対象物に取付けられるケース体と、一端部が前記ケース体に回動可能に軸支され、自由端部を接地させて支持対象物を支持する支持部材と、前記支持部材の回動動作を規制するロック手段と、前記ロック手段のロック状態を維持するロック維持手段と、前記ロック手段のロック状態を解除するロック解除手段とを備え、支持部材を回動して該支持部材の自由端部と支持対象物との距離を任意に設定可能としたことを特徴とするものである。
【００１０】
このように構成することで、ケース体に回動可能に軸支された支持部材を任意に回動した位置でロック手段により固定するとともに、ロック解除手段によりロック解除するようにしたので、簡単な構成で容易に支持対象物の高さを調整することができる。
【００１１】
また、前記支持部材に一端部の軸支部にギア部を備え、前記ロック手段に前記ギア部と噛みあい可能なギア受部を備え、前記ロック維持手段に前記ギア受部を前記ギア部に押し付ける方向に付勢する弾性部材を備えることがこのましい。
このように構成することで、ギア部とギア受部により支持部材の回動状態を多段階で調整を可能とするとともに、ロック維持手段により支持部材のロック状態を確実にすることができる。
【００１２】
さらに、前記ロック解除手段に前記ギア受部を支持部材のギア部から離間する方向に動作可能な押し部材を備えることが好ましい。
このように構成することで、例えば、押しボタンのようにロック解除手段を押すだけで、ギア部とギア受部とを離間して支持部材のロック状態を簡単に解除することができる。
【００１３】
また、前記ケース体に、前記支持部材の軸支部、ロック手段、ロック維持手段およびロック解除手段を収納して一体的に構成することが好ましい。
このように構成することで、位置調整装置を支持対象物とは別体で構成して装着できるので、支持対象物の内部構造に影響されることなく機器への配置が可能となり、取付け位置の設定の自由度が広がる。さらに、支持対象物を限定することなく状況に応じて複数箇所に取付けることができるという優れた効果を有する。
【００１４】
【発明の実施の形態】
以下、本発明の実施の形態について図面を参照して詳細に説明する。
図１〜図３は発明を実施する形態の一例であって、図１は本発明に係る実施形態のアジャスター装置の全体構成を示す分解説明図、図２は前記アジャスター装置のロック状態を示す側面断面図、図３は前記アジャスター装置のロック解除状態を示す側面断面図である。
図中、同一の符号を付した部分は同一物を表わす。
【００１５】
本実施形態は、支持対象物（図示省略）に取付けられ、支持対象物の設置状態の姿勢を調整する位置調整装置たるアジャスター装置１であって、図１に示すように、主に、支持対象物に取付けられるケース体２と、支持対象物を支持する支持部材３と、前記支持部材３の動作を規制するロック手段４と、前記ロック手段４によるロック状態を維持するコイルスプリング５ａ、５ｂと、前記ロック手段４によるロック状態を解除するロック解除手段６とを具備して、多段階で位置調整可能に構成されたものである。
【００１６】
ケース体２は、上ケース部２ａと下ケース部２ｂとの２分割で構成され、前記上下ケース部２ａ、２ｂを組合わせた状態で、一端側を細く段付状に形成した長箱体を呈し、ケース体２内部に上述した構成部品およびその一部を配置するようにされている。
【００１７】
支持部材３は、ケース体２を挟んでその長手方向両側に沿って長く延設された脚部３ａと、該脚部３ａのそれぞれの一端部を連結するとともに一体的に設けられたギア部３ｂとを備えている。
【００１８】
支持部材３は、図２に示すように、ギア部３ｂがケース体２内部の中程に回動可能に軸支され、脚部３ａの他端部を自由端として図中で下ケース部２ｂの下方で脚部３ａが揺動可能に設けられている。
【００１９】
脚部３ａの他端部の先端付近には、ケース体２を挟んで配置された脚部３ａ、３ａ同士を連結するブリッジ部３ｃが形成され、その幅方向略中央部には滑り止め部材３ｄが取付けられている。
【００２０】
なお、前記ギア部３ｂは、脚部３ａに係る支持対象物の荷重を受ける構造となっているため、強度面を考慮すると金属製が望ましい。
【００２１】
前記ロック手段４は、図２に示すように、ギア部３ｂのケース体２の長手方向に沿った一側の一部の歯部と噛み合う第１ギア受部４ａと、ギア部３ｂの第１ギア受部４ａの位置と直角方向（図中の上側）の一部の歯部と噛み合う第２ギア受部４ｂとを具備している。
【００２２】
第１ギア受部４ａは、ケース体２の長手方向に沿った一側、すなわち、図中でギア部３ｂの後方に配設され、第２ギア受部４ｂは、図中でギア部３ｂの上方に配置されている。
【００２３】
第１ギア受部４ａは、図１、図２に示すように、下ケース部２ｂ内部で支軸４ｃ１にガイドされてケース体２の長手方向に沿って摺動可能に配置されている。ギア部３ｂと対向する部分にはギア部３ｂと同形状の歯が形成され、ギア部３ｂ側と反対側にはコイルスプリング５ａを配置して、該コイルスプリング５ａによりギア部３ｂに押し付ける方向に付勢されている。
【００２４】
第２ギア受部４ｂは、図１、図２に示すように、上ケース部２ａ内部のギア部３ｂの上方で、ギア部３ｂを挟んで前側に設けられた支軸４ｃ２を支点として回動可能に軸支されるとともに、後側にコイルスプリング５ａが下方に付勢するように設けられている。すなわち、前記コイルスプリング５ａによりギア部３ｂに押し付けるようにされている。また、ギア部３ｂと対向する部分にはギア部３ｂと同形状の歯が形成されている。
【００２５】
第１ギア受部４ａと第２ギア受部４ｂとは、ギア部３ｂの後方で、第１ギア受部４ａの一部と第２ギア受部４ｂの一部とが略４５°の角度で形成された当接面４ａ１、４ｂ１で当接するように配置されている。
第１ギア受部４ａが後方に移動すると、第１ギア受部４ａの当接面４ａ１により第２ギア受部４ｂの当接面４ｂ１が上方に押し上げられるように構成されている。
【００２６】
ロック解除手段６は、図１、図２に示すように、矩形状断面を有する操作ボタン６ａとケース体２の長手方向に沿った長いシャフト部６ｂとを備え、該操作ボタン６ａをケース体２の長手方向の一側面より外部に配置するとともに、シャフト部６ｂをケース体２内部に摺動可能に配置している。
【００２７】
操作ボタン６ａは、シャフト部６ｂの一端部に一体的に設けられている。
シャフト部６ｂは、操作ボタン６ａ側の一部が所定量ケース体２の外部に突出するように配置され、また、ケース体２内部の中央部付近の一部がケース体２内部の形状に沿ってクランク状に形成され、その曲げ部の一部がケース体２の内壁部と当接して前方（操作ボタン６ａ方向）へ抜けないように構成されている。一方、ケース体２内部の他端部は、第１ギア受部４ａのギア部３ｂ側の一部と当接するように配置されている。
【００２８】
なお、第１ギア受部４ａおよび第２ギア受部４ｂは、ギア部３ｂの力を受けるとともにコイルスプリング５ａ、５ｂの力を常時受けており、またシャフト部６ｂはコイルスプリング５ａの付勢力を抗して操作するため、強度面を考慮すると第１ギア受部４ａ、第２ギア受部４ｂおよびシャフト部６ｂは金属製とすることが望ましい。
【００２９】
次に、本実施形態のアジャスター装置１の動作について図面を参照して説明する。
アジャスター装置１は、図２に示すように、支持部材３の脚部３ａは、ギア部３ｂと第１ギア受部４ａおよび第２ギア受部４ｂとのギアの噛み込みによりロック状態となり、任意の高さ（位置）で保持されている。
【００３０】
アジャスター装置１の高さ（位置）調整を行う場合は、図３に示すように、操作ボタン６ａを押してシャフト部６ｂをケース体２内部に押し込む。すると、シャフト部６ｂの端部が第１ギア受部４ａをケース体２の長手方向後方に移動させ、この第１ギア受部４ａの動きと連動して、第１Ｐギア受部４ａと当接する第２ギア受部４ｂも上方向に移動する。
【００３１】
第１ギア受部４ａが下ケース部２ｂの長手方向に沿って後方にスライドして移動することで、ギア部３ｂから第１ギア受部４ａが離間してギアの噛み合いが解除され、これとともに、第２ギア受部４ｂが上ケース部２ａの支軸４ｃ２を中心として上方向に回動することで、ギア部３ｂから該第２ギア受部４ｂが離間してギアの噛みあいが解除される。
【００３２】
この第１ギア受部４ａと第２ギア受部４ｂの一連の動きにより、図３に示すように、第１ギア受部４ａおよび第２ギア受部４ｂとギア部３ｂのギア同士の噛み合いが解除されて、ギア部３ｂに連結された脚部３ａは自重で回転方向に動くことが可能となる。こうして、ユーザーは、操作ボタン６ａを押しながら任意の位置で脚部３ａの高さを決めることが可能となる。
【００３３】
そして、所望の高さで脚部３ａを保持する場合、その位置で操作ボタン６ａを押し込む操作を止めると、図２に示すように、コイルスプリング５ａ、５ｂのばね力により、再び第１ギア受部４ａおよび第２ギア受部４ｂがギア部３ｂの歯と噛み合い、固定されたギア部３ｂと一体に連結された脚部３ａはロックされる。
【００３４】
以上のように構成したので、本実施形態によれば、ユーザーが操作ボタン６ａを操作するだけで、第１ギア受部４ａおよび第２ギア受部４ｂと回転可能なギア部のロック／解除を行い、ギア部３ｂと脚部３ａが一対で回転して脚部３ａの高さを簡単に調整することができる。
【００３５】
また、本実施形態によれば、位置調整装置たるアジャスター装置１をひとつのケース体２に集約させたユニットとして形成したので、そのユニットは高さ調整が必要などのような機器に対しても機器の内部の構造に影響されずに取付けることが可能となる。
【００３６】
さらに、本実施形態では、ギア部３ｂを第１ギア受部４ａおよび第２ギア受部４ｂの２箇所でロックするようにしたので、支持部材３のロック状態を確実に維持することができる。なお、本発明はロック状態を構成する箇所を限定するものではなく、例えば、第１ギア受部４ａまたは第２ギア受部４ｂの何れか一箇所でロックさせるものであってもよい。このような構成によると、構造を簡潔にするとともに、位置調整装置全体をコンパクトにすることができる。
【００３７】
また、本実施形態のアジャスター装置１は、ギアの噛み合いによりロック状態を形成しているため、歯車の形状（ピッチ）により調節可能な高さの段階が制限される（多段階式）ことから、プロジェクタなどにおいてレンズシフド機能がついている機器と組み合わせて使用する場合に最適である。
【００３８】
尚、本発明の位置調整装置は、上述した図示例にのみ限定されるものではなく、本発明の要旨を逸脱しない範囲内において種々変更を加え得ることは勿論である。
【００３９】
例えば、本実施形態では、ロック手段として第１ギア受部４ａおよび第２ギア受部４ｂをギア部３ｂの円周方向に移動して着脱することで、支持部材３のロック／解除を行うようにしているが、本発明はこれに限定されるものではなく、第１ギア受部４ａおよび第２ギア受部４ｂのようにギアが構成されたロック手段を、ギア部３ｂの軸心方向に移動してギア同士を噛み合わせるようにしたものであっても良い。
【００４０】
また、本実施形態ではアジャスター装置１について、単体での構成および動作について説明したが、本発明に係る位置調整装置を採用する際の使用場所や個数に限定されるものではなく、例えば、位置調整装置を複数個採用することで細かい姿勢の調整が可能となる。
【００４１】
【発明の効果】
以上、説明したように本発明の位置調整装置によれば、機器の内部構造に係わることなく、簡単な構成で支持対象となる機器の高さや傾きの調整を容易に行うことができるという優れた効果を奏し得る。
【００４２】
詳しくは、支持対象物に取付けられて該支持対象物の姿勢を調整する位置調整装置に、支持対象物に取付けられるケース体と、一端部が前記ケース体に回動可能に軸支され、自由端部を接地させて支持対象物を支持する支持部材と、前記支持部材の回動動作を規制するロック手段と、前記ロック手段のロック状態を維持するロック維持手段と、前記ロック手段のロック状態を解除するロック解除手段とを備えることで、支持部材を回動して該支持部材の自由端部と支持対象物との距離を任意に設定可能にできるので、簡単な構成で容易に支持対象物の高さを調整することができる。
【００４３】
また、前記支持部材に一端部の軸支部にギア部を備え、前記ロック手段に前記ギア部と噛みあい可能なギア受部を備え、前記ロック維持手段に前記ギア受部を前記ギア部に押し付ける方向に付勢する弾性部材を備えることで、ギア部とギア受部により支持部材の回動状態を多段階で調整することができる。また、例えば、コイルスプリング等の弾性部材で構成されるロック維持手段を備えることで支持部材のロック状態を確実にすることができる。
【００４４】
さらに、前記ロック解除手段に前記ギア受部を支持部材のギア部から離間する方向に動作可能な押し部材を備えることで、例えば、押しボタンのようにロック解除手段を押すだけで、ギア部とギア受部とを離間して支持部材のロック状態を簡単に解除することができる。
【００４５】
また、前記ケース体に、前記支持部材の軸支部、ロック手段、ロック維持手段およびロック解除手段を収納して一体的に構成することで、位置調整装置を支持対象物とは別体で構成して装着できるので、支持対象物の内部構造に影響されることなく機器への取付けが可能となり、取付け位置の設定に自由度が広がるという利点がある。
さらに、支持対象物を限定することなく状況に応じて複数箇所に取付けることができるという優れた効果を有する。
【図面の簡単な説明】
【図１】本発明に係る実施形態のアジャスター装置の全体構成を示す分解説明図である。
【図２】前記アジャスター装置のロック状態を示す側面断面図である。
【図３】前記アジャスター装置のロック解除状態を示す側面断面図である。
【符号の説明】
１  アジャスター装置
２  ケース体
２ａ  上ケース部
２ｂ  下ケース部
３  支持部材
３ａ  脚部
３ｂ  ギア部
３ｃ  ブリッジ部
３ｄ  滑り止め部材
４  ロック手段
４ａ  第１ギア受部
４ｂ  第２ギア受部
４ａ１、４ｂ１  当接面
４ｃ１、４ｃ２  支軸
５ａ、５ｂ  コイルスプリング
６  ロック解除手段
６ａ  操作ボタン
６ｂ  シャフト部
【図１】
2005042784.tif 000003
【図２】
2005042784.tif 000004
【図３】
2005042784.tif 000005